(57)【特許請求の範囲】
【請求項１】
所定の領域における使用電力量を計測する電力モニタと、
この電力モニタで計測した電力データを定期的に取り込む工業用ネットワークコンピュータと、
この工業用ネットワークコンピュータが接続されたインターネットまたはイントラネットと、
このインターネットまたはイントラネット上に接続され、前記工業用ネットワークコンピュータが取り込んだ電力データを収集するサーバと、
前記インターネットまたはイントラネット上に接続され、前記サーバで収集した電力データをブラウザにより表示するパソコンとを具備し、
前記電力データには、計測時刻を示す時間情報、計測場所を示す場所情報及び電力の用途を示す使用カテゴリー情報の少なくとも１つが付加され、
前記サーバは、収集した電力データを蓄積するデータベースと、時間、場所及び使用カテゴリーの少なくとも１つをキーワードにして前記データベースから電力データを検索する検索手段とを有し、
前記パソコンから送られたキーワードに応じて前記検索手段はデータベースから電力データを検索し、検索したデータをパソコンへ送り、
前記サーバで収集した電力データを表形式またはグラフ形式に編集するデータ編集手段を前記サーバに設け、前記パソコンはサーバで編集後のデータを表示することを特徴とする環境監視システム。
【請求項２】
前記データ編集手段は、前記電力データに付加された時間情報に基づいて電力データの時間的推移を表形式またはグラフ形式で作成することを特徴とする請求項１に記載の環境監視システム。
【発明の詳細な説明】
【０００１】
【発明の属する技術分野】
本発明は、工場、オフィス等の環境を監視する環境監視システムに関するものである。
【０００２】
【従来の技術】
昨今、地球環境保護に向けた活動がいたるところで積極的に展開されている。このような状況のもとで、環境マネジメントシステムＩＳＯ１４００１に認証・登録する組織が増加しており、先進的な企業は、ますます積極的に環境保全に取り組み、よい地球環境を次世代に継承しようとしている。
工場、近代ビル等における環境を監視するためのファクターとして、例えば、使用電力量、Ｎｏｘ，Ｓｏｘ（窒化化合物，硫化化合物）の濃度、臭い等がある。これらのファクターを監視するシステムが開発されている。
【０００３】
図７は従来における環境監視システムの一例を示した図である。このシステムは使用電力量を監視するシステムである。
図７で、電力モニタ１は、室２１〜２５のそれぞれで使用した電力量を計測する。室２１〜２５は工場、オフィス等にある部屋である。
通信ケーブル３は、電力モニタ１で計測した電力データを伝送する。通信ケーブル３はＲＳ−４８５の規格に準拠した通信ケーブルである。
【０００４】
信号変換器４は、通信ケーブル３で伝送された信号を通信ケーブル５で伝送するための信号変換を行なう。通信ケーブル５はＲＳ２３２Ｃの規格に準拠した通信ケーブルである。信号変換器４は、ＲＳ−４８５の規格に準拠した信号をＲＳ２３２Ｃの規格に準拠した信号に変換する。
パソコン６は、通信ケーブル５から送られてきた電力データを表示する。
【０００５】
図７のシステムでは、電力モニタ１は、室２１〜２５でそれぞれ使用した電力量を計測する。計測した電力量は電力データとして通信ケーブル３、信号変換器４、通信ケーブル５を経由してパソコン６に送られる。パソコン６では、送られてきた電力データをアプリケーションソフトにより帳票の形式にして画面に表示する。オペレータは、工場等の各室における使用電力値をパソコン上で監視する。
【０００６】
しかし、図７のシステムでは電力モニタ１で得られたデータをＲＳ−４８５規格とＲＳ２３２Ｃ規格のケーブルを経由して送り、専用パソコンで表示していたため、時間毎、場所毎等に電力データを監視することができないという問題点があった。
【０００７】
本発明は上述した問題点を解決するためになされたものであり、電力データに時間情報、場所情報等を付加し、時間、場所等をキーワードにして電力データを検索可能にすることにより、時間毎、場所毎等に電力データを監視することができる環境監視システムを実現する。
【０００８】
【課題を解決するための手段】
本発明は次のとおりの構成になった環境監視システムである。
【０００９】
（１）所定の領域における使用電力量を計測する電力モニタと、
この電力モニタで計測した電力データを定期的に取り込む工業用ネットワークコンピュータと、
この工業用ネットワークコンピュータが接続されたインターネットまたはイントラネットと、
このインターネットまたはイントラネット上に接続され、前記工業用ネットワークコンピュータが取り込んだ電力データを収集するサーバと、
前記インターネットまたはイントラネット上に接続され、前記サーバで収集した電力データをブラウザにより表示するパソコンとを具備し、
前記電力データには、計測時刻を示す時間情報、計測場所を示す場所情報及び電力の用途を示す使用カテゴリー情報の少なくとも１つが付加され、
前記サーバは、収集した電力データを蓄積するデータベースと、時間、場所及び使用カテゴリーの少なくとも１つをキーワードにして前記データベースから電力データを検索する検索手段とを有し、
前記パソコンから送られたキーワードに応じて前記検索手段はデータベースから電力データを検索し、検索したデータをパソコンへ送り、
前記サーバで収集した電力データを表形式またはグラフ形式に編集するデータ編集手段を前記サーバに設け、前記パソコンはサーバで編集後のデータを表示することを特徴とする環境監視システム。
【００１０】
（２）前記データ編集手段は、前記電力データに付加された時間情報に基づいて電力データの時間的推移を表形式またはグラフ形式で作成することを特徴とする請求項１に記載の環境監視システム。
【００１１】
【発明の実施の形態】
以下図面を用いて本発明を詳しく説明する。
図１は本発明の一実施例を示す構成図である。
図１で、電力モニタ３０は、所定の領域における使用電力量を計測する。電力モニタ３０は、使用電力量の他に電力の品質を計測してもよい。電力の品質は、例えば、力率、無効電力、全高調波歪率、瞬時電圧、瞬時電流、皮相電力等である。
【００１２】
工業用ネットワークコンピュータ４０は、電力モニタ３０で計測した電力データを定期的に取り込む。工業用ネットワークコンピュータ４０はネットワーク５０に接続されている。ネットワーク５０はインターネットまたはイントラネットである。工業用ネットワークコンピュータ４０は、ネットワーク環境を十分に生かせなかった電力モニタ３０をネットワーク環境に繋ぐために設けられたコンピュータである。
【００１３】
工業用ネットワークコンピュータ４０で、データ収集手段４１は電力モニタ３０から電力データを収集し、収集したデータをメモリ４２に取り込む。電力データには、計測時刻を示す時間情報、計測場所を示す場所情報及び電力の用途を示す使用カテゴリー情報等が付加されている。
警報手段４３は、取り込んだ電力データの値を所定の基準値と比較し、比較結果に応じて警報をネットワーク５０上に発生する。例えば、電力データの値が上限値を超えていたり、下限値よりも低くなったときに警報手段４３は警報を発生する。
【００１４】
サーバ６０は、ネットワーク５０上に接続され、工業用ネットワークコンピュータ４０が取り込んだ電力データを定周期で収集する。
サーバ６０において、データ収集手段６１は工業用ネットワークコンピュータ４０から定周期で電力データを収集し、収集した電力データをデータベース６２に蓄積する。検索手段６３は、時間、場所及び使用カテゴリーの少なくとも１つをキーワードにしてデータベース６２から電力データを検索する。
データ編集手段６４は、収集した電力データを表またはグラフの形式に編集する。パソコン７０は、編集後の電力データを表示する。これによって、パソコン７０は、自身で表作成またはグラフ作成をしなくても電力データを表形式またはグラフ形式で表示できる。
【００１５】
パソコン７０は、ネットワーク５０上に接続され、サーバ６０で収集した電力データを表示手段７１で表示する。パソコン７０は、メモリ７２に格納されたネットワーク環境のブラウザを用いて電力データを表示する。
パソコン７０がサーバ６０に電力データの検索キーワードを送ると、サーバ６０の検索手段６３は送られてきたキーワードに応じてデータベース６２から電力データを検索する。サーバ６０は、検索した電力データをパソコン７０へ送る。
【００１６】
図２は図１の実施例の適用例を示した図である。
図２で、Ａ棟には各階に工業用ネットワークコンピュータ４０が設置されている。これによって、Ａ棟ではフロア別に使用電力量を監視する。Ｂ棟〜Ｅ棟では建物毎に使用電力量を監視する。Ａ棟で得られる電力データにはフロア情報が付加され、Ｂ棟〜Ｅ棟で得られる電力データには建物情報が付加されている。
【００１７】
図３は図１の実施例の適用例を示した図である。
図３で、部署Ｋ１〜部署Ｋ７にそれぞれ工業用ネットワークコンピュータ４０が設置されている。これによって、部署毎に使用電力量を監視する。
【００１８】
電力データには、電力の用途を示す使用カテゴリー情報が付加されている場合がある。この使用カテゴリー情報に基づいて電力データを使用カテゴリー別に監視する。
使用カテゴリーの例として次の▲１▼〜▲５▼がある。
▲１▼生産動力  １００Ｖ
▲２▼生産動力  ２００Ｖ
▲３▼照明
▲４▼空調
▲５▼保安
【００１９】
図４は使用カテゴリーに従って設備を振り分けた例を示した図である。
図４で、生産動力  １００Ｖの使用カテゴリーには、設備Ａ１〜設備Ａ３及び通信機器が属している。
生産動力  ２００Ｖの使用カテゴリーには、設備Ｂ１〜設備Ｂ４及び空気圧縮機が属している。
照明の使用カテゴリーには、工場照明及び事務所照明が属している。
空調の使用カテゴリーには、工場熱源機器、空調機器制御盤、局所排風機盤及び工場送風機器が属している。
保安の使用カテゴリーには、ポンプ室電灯盤、グラウンド照明及びＥＶ電源（エレベータ電源）が属している。
使用カテゴリー毎に工業用ネットワークコンピュータを設置し、振り分けた設備群毎に使用電力量を監視する。
【００２０】
図５は電力データの表示例を示した図である。
図５の表示はパソコン７０で行なわれる。図５では、使用電力量の時間的推移を折れ線グラフと表により表示している。生産動力１００Ｖ及び生産動力２００Ｖの使用カテゴリーについて表示している。
【００２１】
図６は電力データの表示例を示した図である。
図６の表示はパソコン７０で行なわれる。図６では、使用電力量の月次推移を折れ線グラフ、棒グラフ及び表により表示している。
【００２２】
図５及び図６に示すグラフ及び表の作成はデータ編集手段６４が行なう。電力データの時間的推移のグラフ作成及び表作成は電力データに付加された時間情報に基づいて行なう。電力データに付加された時間情報をもとに、電力データの日間推移、月間推移、年間推移を表示することができる。
【００２３】
【発明の効果】
本発明によれば次の効果が得られる。
【００２４】
請求項１及び請求項２の発明によれば、電力データを時間、場所、使用カテゴリーをキーワードにして検索できるため、時間毎、場所毎、使用カテゴリー毎に電力データを監視することができる。
また、サーバで収集した電力データを表またはグラフの形式に編集するデータ編集手段をサーバに設け、パソコンは編集後のデータを表示する。これによって、パソコンは、自身で表作成またはグラフ作成をしなくても電力データを表形式またはグラフ形式で表示できる。
【図面の簡単な説明】
【図１】本発明の一実施例を示す構成図である。
【図２】図１の実施例の適用例を示した図である。
【図３】図１の実施例の適用例を示した図である。
【図４】使用カテゴリーに従って設備を振り分けた例を示した図である。
【図５】電力データの表示例を示した図である。
【図６】電力データの表示例を示した図である。
【図７】従来における環境監視システムの一例を示した図である。
【符号の説明】
３０  電力モニタ
４０，１０１〜１０４  工業用ネットワークコンピュータ
４３  警報手段
５０  ネットワーク
６０  サーバ
６２  データベース
６３  検索手段
６４  データ編集手段
７０  パソコン
【図１】
0003596508.tif 000002
【図２】
0003596508.tif 000003
【図３】
0003596508.tif 000004
【図４】
0003596508.tif 000005
【図５】
0003596508.tif 000006
【図６】
0003596508.tif 000007
【図７】
0003596508.tif 000008